(57)【要約】【課題】垂直クロストーク不良及び色落ち不良を防止して表示品質を改善した表示装置を提供する。【解決手段】本表示装置は、複数の画素が配列された表示パネルであって、各画素がゲートライン及びデータラインに連結された薄膜トランジスタ、並びに薄膜トランジスタに連結された表示素子を含む表示パネル、ゲートオン電圧及び複数のゲートオフ電圧を生成する駆動電圧発生部、初期駆動区間を複数の設定区間に分割し、上記設定区間の各々に対応して該当するゲートオフ電圧を出力するように制御するタイミングコントローラ、及び上記ゲートオン電圧と上記設定区間に対応するゲートオフ電圧を用いてゲート信号を生成して上記ゲートラインを駆動するゲート駆動回路を含む。【選択図】図６
2016091026.tif 000002
【特許請求の範囲】
【請求項１】
複数の画素が配列された表示パネルであって、前記各画素がゲートライン及びデータラインに連結された薄膜トランジスタ、並びに前記薄膜トランジスタに連結された表示素子を含む表示パネルと、
ゲートオン電圧及び複数のゲートオフ電圧を生成する駆動電圧発生部と、
初期駆動区間を複数の設定区間に分割し、前記設定区間の各々に対応して該当するレベルのゲートオフ電圧を出力するように制御するタイミングコントローラと、
前記ゲートオン電圧と前記設定区間に対応するゲートオフ電圧を用いてゲート信号を生成し、前記ゲートラインに前記ゲート信号を出力するゲート駆動回路と、
を含むことを特徴とする、表示装置。
【請求項２】
前記複数の設定区間の各々に対応する前記ゲートオフ電圧のレベルは、前記初期駆動区間における駆動時間が増加するほど、ネガティブ方向に移動することを特徴とする、請求項１に記載の表示装置。
【請求項３】
前記複数の設定区間のうち、第１設定区間に対応する第１ゲートオフ電圧のレベルは０Ｖに近いネガティブレベルを有することを特徴とする、請求項２に記載の表示装置。
【請求項４】
前記複数の設定区間の各々に対応する前記複数のゲートオフ電圧のレベルは、前記複数の設定区間で色落ちが発生するゲートオフ電圧のレベルより低いことを特徴とする、請求項１に記載の表示装置。
【請求項５】
前記画素は前記表示素子に連結されたストレージキャパシタをさらに含み、
前記ストレージキャパシタに印加されるストレージ共通電圧は、前記複数の設定区間の各々において前記ゲートオフ電圧のレベルと連動したレベルを有することを特徴とする、請求項１に記載の表示装置。
【請求項６】
前記設定区間の開始時点において周辺温度をセンシングする温度センサーと、
前記センシングされた周辺温度に対応して少なくとも１つの補償電圧レベルを格納する温度補償部と、をさらに含み、
前記駆動電圧発生部は、前記補償電圧レベルに基づいて温度補償電圧を生成することを特徴とする、請求項１に記載の表示装置。
【請求項７】
前記温度補償電圧のレベルは、前記周辺温度が増加するほど、ネガティブ方向に移動することを特徴とする、請求項６に記載の表示装置。
【請求項８】
前記駆動電圧発生部は、
前記複数の設定区間の各々の温度補償電圧を該当するゲートオフ電圧に加算して前記ゲート駆動回路に提供することを特徴とする、請求項７に記載の表示装置。
【請求項９】
前記初期駆動区間は１００時間以内であることを特徴とする、請求項１に記載の表示装置。
【請求項１０】
前記初期駆動区間以後のゲートオフ電圧のレベルは、前記初期駆動区間の最後の設定区間に該当するゲートオフ電圧のレベルに維持されることを特徴とする、請求項１に記載の表示装置。
【発明の詳細な説明】
【技術分野】
【０００１】
本発明は表示装置に係り、より詳しくは、表示品質を改善した表示装置に関する。
【背景技術】
【０００２】
一般に、液晶表示装置は薄型、軽量であり、電力消耗が低いという長所があるので、モニタ、ノートブック、携帯電話などに主に使われる。このような液晶表示装置は、液晶の選択的に変更可能な光透過率を用いて映像を表示する液晶表示パネル、上記液晶表示パネルの下部に配置されて上記液晶表示パネルに光を提供するバックライトアセンブリ、及び上記液晶表示パネルを駆動する駆動回路を含む。
【０００３】
上記液晶表示パネルは、ゲートライン、データライン、薄膜トランジスタ、及び画素電極を有するアレイ基板、上記アレイ基板と対向して共通電極を有する対向基板、及び上記アレイ基板と上記対向基板との間に介在する液晶層を含む。上記駆動回路は、上記ゲートラインを駆動するゲート駆動部及び上記データラインを駆動するデータ駆動部を含む。
【０００４】
上記薄膜トランジスタのゲート電極、即ちゲートラインに印加されるゲート信号のオフ電圧レベルに起因して垂直クロストーク不良及び色落ち不良が発生する。即ち、上記オフ電圧レベルがネガティブ方向に行くほど色落ちは減少するが、上記垂直クロストーク不良が多くなる相反関係（ｔｒａｄｅ−ｏｆｆ）を有する。上記色落ちは、ゲートオフ電圧が０Ｖに近いレベルを有する時、上記薄膜トランジスタのオフ漏洩電流によりブラック階調がホワイト階調に変わる現象である。
【発明の概要】
【発明が解決しようとする課題】
【０００５】
本発明の技術的課題はこのような問題点に着目するものであって、本発明の目的は垂直クロストーク不良及び色落ち不良を防止して表示品質を改善した表示装置を提供することにある。
【０００６】
本発明の他の目的は、上記表示装置の駆動方法を提供することにある。
【課題を解決するための手段】
【０００７】
上記本発明の目的を実現するための一実施形態に従う表示装置は、複数の画素が配列された表示パネルであって、上記各画素がゲートライン及びデータラインに連結された薄膜トランジスタ、並びに上記薄膜トランジスタに連結された表示素子を含む表示パネルと、ゲートオン電圧及び複数のゲートオフ電圧を生成する駆動電圧発生部と、初期駆動区間を複数の設定区間に分割し、上記設定区間の各々に対応して該当するレベルのゲートオフ電圧を出力するように制御するタイミングコントローラと、上記ゲートオン電圧と上記設定区間に対応するゲートオフ電圧を用いてゲート信号を生成して上記ゲートラインを駆動するゲート駆動回路を含む。
【０００８】
一実施形態において、上記複数の設定区間の各々に対応する上記ゲートオフ電圧のレベルは、前記初期駆動区間における駆動時間を増加するほどネガティブ方向に移動することができる。
【０００９】
一実施形態において、上記複数の設定区間のうち、第１設定区間に対応する第１ゲートオフ電圧のレベルは０Ｖに近いネガティブレベルを有することができる。
【００１０】
一実施形態において、上記複数の設定区間の各々に対応する上記複数のゲートオフ電圧のレベルは、上記複数の設定区間で色落ちが発生するゲートオフ電圧のレベルより低いことが望ましい。
【００１１】
一実施形態において、上記画素は上記表示素子に連結されたストレージキャパシタをさらに含み、上記ストレージキャパシタに印加されるストレージ共通電圧は、上記複数の設定区間の各々において上記ゲートオフ電圧のレベルと連動したレベルを有することができる。
【００１２】
一実施形態において、上記表示装置は、上記設定時間の開始時点において周辺温度をセンシングする温度センサーと、上記センシングされた周辺温度に対応して少なくとも１つの補償電圧レベルを格納する温度補償部をさらに含み、上記駆動電圧発生部は上記補償電圧レベルに基づいて温度補償電圧を生成することができる。
【００１３】
一実施形態において、上記温度補償電圧のレベルは上記周辺温度が増加するほどネガティブ方向に移動することができる。
【００１４】
一実施形態において、上記駆動電圧発生部は、上記複数の設定区間の各々の温度補償電圧を該当するゲートオフ電圧に加算して上記ゲート駆動回路に提供することができる。
【００１５】
一実施形態において、上記初期駆動区間は１００時間以内でありうる。
【００１６】
一実施形態において、上記初期駆動区間以後のゲートオフ電圧のレベルは、上記初期駆動区間の最後の設定区間に該当するゲートオフ電圧のレベルに維持できる。
【００１７】
上記した本発明の目的を実現するための一実施形態に従う表示装置の駆動方法は、初期駆動区間を複数の設定区間に分割し、上記複数の設定区間の各々に互いに異なるレベルのゲートオフ電圧を出力するステップ、ゲートオン電圧及び設定区間に該当するレベルのゲートオフ電圧を用いてゲート信号を生成するステップ、及び上記ゲート信号を表示パネルの画素に含まれた薄膜トランジスタに提供するステップを含む。
【００１８】
一実施形態において、上記複数の設定区間の各々に対応する上記複数のゲートオフ電圧のレベルは、駆動時間を増加するほど、ネガティブ方向に移動することができる。
【００１９】
一実施形態において、上記複数の設定区間のうち、第１設定区間に対応する第１ゲートオフ電圧のレベルは０Ｖに近いネガティブレベルを有することができる。
【００２０】
一実施形態において、上記複数の設定区間の各々に対応する上記複数のゲートオフ電圧のレベルは上記複数の設定区間で色落ちが発生するゲートオフ電圧のレベルより低いことがある。
【００２１】
一実施形態において、上記画素は上記表示素子と連結されたストレージキャパシタをさらに含み、上記方法は上記複数の設定区間の各々で上記ゲートオフ電圧のレベルと連動したレベルを有するストレージ共通電圧を生成するステップをさらに含むことができる。
【００２２】
一実施形態において、上記方法は設定時間に周辺温度をセンシングするステップ、及びセンシングされた温度情報に対応して温度補償電圧を生成するステップをさらに含むことができる。
【００２３】
一実施形態において、上記温度補償電圧のレベルは、温度が増加するほど、ネガティブ方向に移動することができる。
【００２４】
一実施形態において、上記複数の設定区間の各々の温度補償電圧が該当するゲートオフ電圧に加算されたゲートオフ電圧を用いてゲート信号を生成することができる。
【００２５】
一実施形態において、上記初期駆動区間は１００時間以内でありうる。
【００２６】
一実施形態において、上記初期駆動区間以後のゲートオフ電圧のレベルは、上記初期駆動区間の最後の設定区間に該当するゲートオフ電圧のレベルに維持できる。
【発明の効果】
【００２７】
本発明の実施形態によれば、初期駆動区間を複数の設定区間に分割し、上記設定区間の各々に対応して該当するレベルのゲートオフ電圧を出力するので、例えば、駆動初期にはゲートオフ電圧をポジティブ方向（例えば、０Ｖに近く）に設定して垂直クロストークによる不良を防止し、設定された初期駆動区間における駆動時間が増加するほど、上記ゲートオフ電圧のレベルをネガティブ方向に移動させるので、色落ちによる不良を防止できる。
【図面の簡単な説明】
【００２８】
【図１】本発明の一実施形態に係る表示装置の平面図である。
【図２】薄膜トランジスタの特性曲線である。
【図３】図１に示した薄膜トランジスタの漏洩電流に対する垂直クロストークを示すグラフである。
【図４】駆動時間に従う薄膜トランジスタの特性変化を説明するための曲線である。
【図５】図１に示した表示装置を説明するためのブロック図である。
【図６】本発明の一実施形態に係る表示装置の駆動方法を説明するためのグラフである。
【図７】図６に示した駆動方法に従う表示装置の駆動信号を説明するための波形図である。
【図８】温度変化に従う薄膜トランジスタの特性変化を説明するための曲線である。
【図９】温度及びゲートオフ電圧のレベルに従う色落ちを説明するための曲線である。
【図１０】本発明の一実施形態に係る表示装置の駆動方法を説明するためのグラフである。
【図１１】図１０に示した駆動方法に従う表示装置の駆動信号を説明するための波形図である。
【発明を実施するための形態】
【００２９】
以下、図面を参照して本発明の好ましい実施形態をより詳細に説明する。
【００３０】
図１は、本発明の一実施形態に係る表示装置の平面図である。図２は、薄膜トランジスタの特性曲線である。図３は、図１に示した薄膜トランジスタの漏洩電流に対する垂直クロストークを示すグラフである。図４は、駆動時間に従う薄膜トランジスタの特性変化を説明するための曲線である。
【００３１】
図１を参照すると、上記表示装置は、表示パネル１００、駆動電圧発生部２２０、タイミングコントローラ２３０、データ駆動回路２５０、及び少なくとも１つのゲート駆動回路２６０を含む。
【００３２】
上記表示装置は、コントロール回路基板３１０、少なくとも１つの回路フィルム３００、及び少なくとも１つのソース回路基板３３０をさらに含む。上記タイミングコントローラ２３０は、上記コントロール回路基板３１０に実装される。上記回路フィルム３００の第１端部は上記コントロール回路基板３１０に連結され、第２端部は上記ソース回路基板３３０に実装される。上記データ駆動回路２５０の端部は上記ソース回路基板３３０に連結される。
【００３３】
上記表示パネル１００は、表示領域（ＤＡ）、及び上記表示領域（ＤＡ）を囲む周辺領域（ＰＡ）を含む。上記表示領域（ＤＡ）には複数の画素部Ｐ、複数のデータライン（ＤＬ）、及び複数のゲートライン（ＧＬ）が配置される。上記周辺領域（ＰＡ）には上記データ駆動回路２５０及び少なくとも１つのゲート駆動回路２６０が配置される。
【００３４】
上記画素部Ｐは、第１方向（ＤＲ１）に配列された画素を含む画素列、及び上記第１方向（ＤＲ１）と交差する第２方向（ＤＲ２）に配列された画素を含む画素行を含むマトリックス形態に配列される。
【００３５】
上記データライン（ＤＬ１，．．．，ＤＬｍ）は上記第１方向（ＤＲ１）に延長され、上記第２方向（ＤＲ２）に配列される。上記データライン（ＤＬ１，．．．，ＤＬｍ）の各々は該当する画素列の画素Ｐと電気的に連結されてデータ信号を伝達する。
【００３６】
上記ゲートライン（ＧＬ１，．．．，ＧＬｎ）は上記第２方向（ＤＲ２）に延長され、上記第１方向（ＤＲ１）に配列される。上記ゲートライン（ＧＬ１，．．．，ＧＬｎ）の各々は該当する画素行に含まれた画素Ｐと電気的に連結され、ゲート信号が順次に印加される。
【００３７】
各画素Ｐはゲートライン（ＧＬ１）とデータライン（ＤＬ１）に連結された薄膜トランジスタ、上記薄膜トランジスタに連結された表示素子、及び上記表示素子に連結されたストレージキャパシタを含む。上記表示素子は、液晶キャパシタ、有機電界発光素子などを含むことができる。
【００３８】
図２に示した上記薄膜トランジスタのゲート／ソース電圧に対するソース／ドレイン電流を示した特性曲線を参照すると、０Ｖから遠い第２電圧範囲（ＲＡ２）での第２漏洩電流レベル（ＩＬ２）が０Ｖに近い第１電圧範囲（ＲＡ１）での第１漏洩電流レベル（ＩＬ１）より大きい。
【００３９】
一方、図３に示した漏洩電流（Ｉｏｆｆ）に対する垂直クロストーク率（Ｖ−ＣＴ（％））を参照すると、上記漏洩電流が大きいほど上記垂直クロストーク率％が増加することが分かる。特に、表示パネルのサイズが大きくなるほど漏洩電流の増加に従う上記垂直クロストーク率（％）の増加幅が大きくなることが分かる。
【００４０】
従って、上記ゲート／ソース電圧（Ｖｇｓ）が上記第１電圧範囲（ＲＡ１）に対応するようにゲートオフ電圧を０Ｖに近く設定する場合、漏洩電流レベルが低いので上記垂直クロストークによる表示不良を防止することができる。しかしながら、色落ちによる表示不良には不利でありうる。
【００４１】
上記色落ちは上記薄膜トランジスタの特性が時間によってポジティブレベル側にシフトされて発生する不良であって、ゲートオフ電圧が０Ｖに近くなるほど、ブラック階調がホワイト階調に変わって色が落ちるように見えるものである。上記色落ちマージンはゲートオフ電圧を０Ｖに近く可変する時、上記色落ちが見える電圧から上記ゲートオフ電圧を引いた電圧である。従って、上記ゲートオフ電圧が０Ｖから遠いほど色落ちマージン確保に有利でありうる。
【００４２】
従って、上記ゲートオフ電圧を０Ｖと遠い上記第２電圧範囲（ＲＡ２）に対応して設定する場合、上記色落ちマージン確保に有利でありうる。このように、上記垂直クロストークと色落ちは相反関係（ｔｒａｄｅ−ｏｆｆ）を有する。
【００４３】
一方、図４に示すように、上記薄膜トランジスタの特性曲線は駆動時間が増加するほどネガティブ方向に移動する特徴を有する。
【００４４】
従って、本実施形態では駆動初期には垂直クロストークに有利であるようにゲートオフ電圧を０Ｖに近く設定し、駆動時間が増加するほど薄膜トランジスタの特性曲線がネガティブ方向（例えば、−２０Ｖに近く）に移動する特徴を考慮して上記ゲートオフ電圧を駆動時間に従ってネガティブ方向に移動するように設定することによって上記色落ちマージンを確保する。
【００４５】
このために、上記表示パネルの初期駆動区間（時間区間（ｐｅｒｉｏｄ）、以下、単に「区間」という）を複数の設定区間に区分し、上記複数の設定区間に対して徐々にネガティブ方向に移動するレベルを有する複数のゲートオフ電圧を使用して上記表示パネル１００を駆動する。
【００４６】
上記駆動電圧発生部２２０は、上記表示装置を駆動するための駆動電圧を生成する。上記駆動電圧は、上記データ駆動回路２５０を駆動するためのデータ駆動電圧、上記ゲート駆動回路２６０を駆動するためのゲート駆動電圧、及び上記表示パネル１００を駆動するためのパネル駆動電圧を含む。
【００４７】
本実施形態によれば、上記ゲート駆動電圧はゲートオン電圧及び複数の設定区間に対応する複数のゲートオフ電圧を含む。上記複数のゲートオフ電圧のレベルは、駆動時間が増加するほど薄膜トランジスタの特性曲線がネガティブ方向に移動する特徴を考慮して、上記駆動時間が増加するほどネガティブ方向に移動するように設定される。これによって、上記垂直クロストーク及び色落ちによる表示不良を改善することができる。
【００４８】
上記タイミングコントローラ２３０は、上記駆動電圧発生部２２０、上記データ駆動回路２５０、及び上記第１及び第２ゲート駆動回路２６０の駆動を制御する。
【００４９】
上記タイミングコントローラ２３０は、上記駆動電圧発生部２２０を制御する。上記タイミングコントローラ２３０は、駆動初期に設定された複数の設定区間の各々に対応して該当するレベルのゲートオフ電圧を上記ゲート駆動回路２６０に提供するように上記駆動電圧発生部２２０を制御する。
【００５０】
上記タイミングコントローラ２３０は、データ信号を多様な補償アルゴリズムを用いて補償し、補償されたデータ信号を上記データ駆動回路２５０に提供する。上記タイミングコントローラ２３０は、上記データ駆動回路２５０及び上記ゲート駆動回路２６０の駆動を制御する。
【００５１】
上記データ駆動回路２５０は複数のデータ回路フィルム（ＤＣＦ）を含み、各データ回路フィルム（ＤＣＦ）はデータラインを駆動するデータ駆動チップを含む。上記データ回路フィルム（ＤＣＦ）は、上記ソース回路基板３３０と上記表示パネル１００とを電気的に連結する。上記データ回路フィルムのうち、上記ゲート駆動回路２６０と隣接したデータ回路フィルムは、上記コントロール回路基板３１０から伝達された上記ゲート制御信号を上記ゲート駆動回路２６０に伝達する。上記データ駆動回路２５０は、上記データ信号に基づいて上記データライン（ＤＬ１，．．．，ＤＬｍ）を駆動する。
【００５２】
上記ゲート駆動回路２６０は、複数のゲート回路フィルム（ＧＣＦ１，．．．，ＧＣＦ４）を含む。各ゲート回路フィルム（ＧＣＦ１）は、ゲートラインを駆動するゲート駆動チップを含む。上記ゲート駆動回路２６０は、上記ゲートラインの端部に隣接した上記周辺領域（ＰＡ）に配置される。上記ゲート駆動回路２６０は、上記ゲートライン（ＧＬ１，．．．，ＧＬｎ）を駆動する。
【００５３】
図５は、図１に示した表示装置を説明するためのブロック図である。
【００５４】
図１及び図５を参照すると、上記表示装置は、画素Ｐ、駆動電圧発生部２２０、タイミングコントローラ２３０、データ駆動回路２５０、及び少なくとも１つのゲート駆動回路２６０を含む。
【００５５】
上記画素Ｐはゲートライン（ＧＬ）とデータライン（ＤＬ）に連結された薄膜トランジスタＴＲ、上記薄膜トランジスタＴＲに連結された液晶キャパシタＣＬＣ、上記液晶キャパシタＣＬＣに連結されたストレージキャパシタＣＳＴを含む。
【００５６】
上記駆動電圧発生部２２０は、データ駆動電圧（ＤＤＶ）、ゲート駆動電圧（ＧＤＶ）、及びパネル駆動電圧（ＰＤＶ）を生成する。
【００５７】
上記データ駆動電圧（ＤＤＶ）はアナログ電源電圧（ＡＶＤＤ）及びディジタル電源電圧（ＤＶＤＤ）を含み、上記ゲート駆動電圧（ＧＤＶ）はゲートオン電圧（ＶＯＮ）及びゲートオフ電圧（ＶＳＳ）を含む。上記パネル駆動電圧（ＰＤＶ）は、上記液晶キャパシタＣＬＣに印加される共通電圧（ＶＣＯＭ）及び上記ストレージキャパシタＣＳＴに印加されるストレージ共通電圧（ＶＳＴ）を含む。上記共通電圧（ＶＣＯＭ）及び上記ストレージ共通電圧（ＶＳＴ）は、同一な電圧レベルを有することができる。
【００５８】
本実施形態によれば、上記ゲート駆動電圧は複数のゲートオフ電圧を含む。上記複数のゲートオフ電圧のレベルは、駆動時間が増加するほど薄膜トランジスタの特性曲線がネガティブ方向に移動する特徴を考慮して、上記駆動時間が増加するほどネガティブ方向に移動するように設定される。例えば、第１設定区間に設定された第１ゲートオフ電圧は第１レベルを有し、上記第１設定区間より遅延された第２設定区間に設定された第２ゲートオフ電圧は、上記第１ゲートオフ電圧の上記第１レベルに対応した特性曲線よりネガティブ方向にシフトされた特性曲線に基づいた第２レベルを有する。
【００５９】
上記タイミングコントローラ２３０は、外部から原始（ｏｒｉｇｉｎａｌ）データ信号（ＯＤＡＴＡ）及び原始同期信号（ＯＳＳ）を受信する。上記タイミングコントローラ２３０は、上記原始データ信号（ＯＤＡＴＡ）を多様な補償アルゴリズムを用いて補償し、補償されたデータ信号（ＤＡＴＡ）を上記データ駆動回路２５０に提供する。
【００６０】
上記タイミングコントローラ２３０は、上記原始同期信号（ＯＳＳ）に基づいて電圧制御信号（ＶＣＳ）、データ制御信号（ＤＣＳ）、及びゲート制御信号（ＧＣＳ）を生成する。
【００６１】
上記電圧制御信号（ＶＣＳ）は、上記複数のゲートオフ電圧の各々を該当する設定区間に上記ゲート駆動回路２６０に出力するように上記駆動電圧発生部２１０を制御する。
【００６２】
上記データ制御信号（ＤＣＳ）は、水平同期信号、垂直同期信号を含むデータ同期信号、及び上記データ信号の出力を制御するロード信号を含むことができる。
【００６３】
上記ゲート制御信号（ＧＣＳ）は、上記ゲート駆動回路２６０の動作を開始する垂直開始信号、ゲート信号のライジングタイミングを制御するためのゲートクロック信号、及び上記ゲート信号のポーリングタイミングを制御するためのゲートイネーブル信号を含むことができる。
【００６４】
上記データ駆動回路２５０は、上記アナログ電源電圧（ＡＶＤＤ）を用いて上記データ信号（ＤＡＴＡ）をデータ電圧に変換し、上記データ制御信号（ＤＣＳ）に基づいて上記データライン（ＤＬ）に出力する。
【００６５】
上記ゲート駆動回路２６０は、上記ゲートクロック信号に基づいて上記ゲートオン電圧及び上記ゲートオフ電圧を有するゲート信号を生成し、上記ゲート信号を上記ゲートライン（ＧＬ）に出力する。
【００６６】
上記ゲート駆動回路２６０は、上記駆動電圧発生部２２０から提供されたゲートオン電圧及びゲートオフ電圧と上記タイミングコントローラ２３０から提供された上記ゲート制御信号に基づいて複数のゲート信号を生成する。本実施形態によれば、上記ゲート信号は上記複数の設定区間に対し、上記複数のゲートオフ電圧に対応する複数のローレベルを有する。
【００６７】
本実施形態によれば、上記第１設定区間には上記ゲートオン電圧に対応するハイレベルと第１ゲートオフ電圧に対応する第１ローレベルのゲート信号が上記画素Ｐの上記薄膜トランジスタＴＲに印加され、上記第２設定区間には上記ゲートオン電圧に対応するハイレベルと第２ゲートオフ電圧に対応する第２ローレベルのゲート信号が上記画素Ｐの上記薄膜トランジスタＴＲに印加される。
【００６８】
本実施形態によれば、駆動初期にはゲートオフ電圧をポジティブ方向（例えば、０Ｖに近く）に設定して垂直クロストークによる不良を防止し、設定された初期駆動区間に対して駆動時間が増加するほど上記ゲートオフ電圧のレベルをネガティブ方向に移動させることによって上記色落ちによる不良を防止することができる。
【００６９】
図６は、本発明の一実施形態に従う表示装置の駆動方法を説明するためのグラフである。図７は、図６に示した駆動方法に従う表示装置の駆動信号を説明するための波形図である。
【００７０】
図６を参照すると、ＶＳＳ信頼性曲線は駆動時間によって色落ちが発生するゲートオフ電圧のレベルを示したものであり、ＶＳＳ時間補償曲線は本実施形態に従って駆動時間増加に対応して色落ちマージンを確保するためのゲートオフ電圧のレベルを示したものである。
【００７１】
上記ＶＳＳ信頼性曲線を説明すると、初期に駆動時間が増加するほど色落ちが発生するゲートオフ電圧のレベルはネガティブ方向に移動してから一定駆動時間後、例えば第４時点（ｔ４）からはゲートオフ電圧のレベルが一定に維持されることを確認することができる。従って、本実施形態に従う上記ＶＳＳ時間補償曲線に従うゲートオフ電圧のレベルは、上記ＶＳＳ信頼性曲線に従うゲートオフのレベルに対して一定マージン（例えば、約−１Ｖ）を有するように設定される。
【００７２】
具体的な上記表示装置の駆動方法は、次の通りである。
【００７３】
図６及び図７を参照すると、上記表示装置の初期駆動区間（ｔ０からｔ４）は、複数の設定区間（ＰＰ１、ＰＰ２、ＰＰ３、ＰＰ４、ＰＰ５）に区分される。上記初期駆動区間は約１００時間以内に設定できる。
【００７４】
上記駆動電圧発生部２２０は、上記タイミングコントローラ２３０の制御によって電源オンされた時点（ｔ０）から第１時点（ｔ１）までに設定された第１設定区間（ＰＰ１）の間、上記ゲートオン電圧（ＶＯＮ）及び第１ゲートオフ電圧（ＶＳＳ１）を上記ゲート駆動回路２６０に出力する。
【００７５】
上記第１ゲートオフ電圧（ＶＳＳ１）は、垂直クロストークに有利になるようにポジティブ方向、即ち相対的に０Ｖに近く設定する。例えば、上記第１ゲートオフ電圧（ＶＳＳ１）は一般的なゲートオフ電圧である、例えば約−５．５Ｖに設定できる。
【００７６】
上記第１設定区間（ＰＰ１）の間、上記ゲート駆動回路２６０は上記ゲートオン電圧（ＶＯＮ）と上記第１ゲートオフ電圧（ＶＳＳ１）を用いて第１ゲート信号（ＧＰ１）を生成する。上記第１ゲート信号（ＧＰ１）は、フレーム区間のうち、データを液晶キャパシタに充電するデータ充電区間（ＣＰ）では上記ゲートオン電圧（ＶＯＮ）に対応するハイレベルを有し、上記液晶キャパシタに充電されたデータを維持するフレームのデータ維持区間（ＨＰ）には上記第１ゲートオフ電圧（ＶＳＳ１）に対応する第１ローレベルを有する。即ち、上記第１設定区間（ＰＰ１）の間、上記表示パネルは上記ゲートオン電圧（ＶＯＮ）と上記第１ゲートオフ電圧（ＶＳＳ１）に対応する上記第１ゲート信号（ＧＰ１）を用いて駆動される。
【００７７】
続いて、上記駆動電圧発生部２２０は上記タイミングコントローラ２３０の制御によって、上記第１時点（ｔ１）から第２時点（ｔ２）までに設定された第２設定区間（ＰＰ２）の間、上記ゲート駆動回路２６０に上記ゲートオン電圧（ＶＯＮ）及び第２ゲートオフ電圧（ＶＳＳ２）を出力する。
【００７８】
上記第２ゲートオフ電圧（ＶＳＳ２）は、駆動時間が増加するほど薄膜トランジスタの特性がネガティブ方向にシフトする特徴を考慮して、上記第１ゲートオフ電圧（ＶＳＳ１）よりネガティブ方向にシフトされたレベルに設定される。例えば、上記第２ゲートオフ電圧（ＶＳＳ２）は約−６．０Ｖに設定される。
【００７９】
上記第２設定区間（ＰＰ２）の間、上記ゲート駆動回路２６０は上記ゲートオン電圧（ＶＯＮ）と上記第２ゲートオフ電圧（ＶＳＳ２）を用いて第２ゲート信号（ＧＰ２）を生成する。上記第２ゲート信号（ＧＰ２）は、フレーム区間のうち、データ充電区間（ＣＰ）では上記ゲートオン電圧（ＶＯＮ）に対応するハイレベルを有し、上記フレームのデータ維持区間（ＨＰ）には上記第２ゲートオフ電圧（ＶＳＳ２）に対応する第２ローレベルを有する。即ち、上記第２設定区間（ＰＰ２）の間上記表示パネルは上記ゲートオン電圧（ＶＯＮ）と上記第２ゲートオフ電圧（ＶＳＳ２）に対応する上記第２ゲート信号（ＧＰ２）を用いて駆動される。
【００８０】
続いて、上記駆動電圧発生部２２０は上記タイミングコントローラ２３０の制御によって、上記第２時点（ｔ２）から第３時点（ｔ３）までに設定された第３設定区間（ＰＰ３）の間、上記ゲート駆動回路２６０に上記ゲートオン電圧（ＶＯＮ）及び第３ゲートオフ電圧（ＶＳＳ３）を出力する。
【００８１】
上記第３ゲートオフ電圧（ＶＳＳ３）は、駆動時間が増加するほど、薄膜トランジスタの特性がネガティブ方向にシフトする特徴を考慮して、上記第２ゲートオフ電圧（ＶＳＳ２）よりネガティブ方向にシフトされたレベルに設定される。例えば、上記第３ゲートオフ電圧（ＶＳＳ３）は約−６．５Ｖに設定できる。
【００８２】
上記第３設定区間（ＰＰ３）の間、上記ゲート駆動回路２６０は上記ゲートオン電圧（ＶＯＮ）と上記第３ゲートオフ電圧（ＶＳＳ３）を用いて第３ゲート信号（ＧＰ３）を生成する。上記第３ゲート信号（ＧＰ３）は、上記フレーム区間のうち、データ充電区間（ＣＰ）では上記ゲートオン電圧（ＶＯＮ）に対応するハイレベルを有し、上記フレームのデータ維持区間（ＨＰ）には上記第３ゲートオフ電圧（ＶＳＳ３）に対応する第３ローレベルを有する。即ち、上記第３設定区間（ＰＰ３）の間、上記表示パネルは上記ゲートオン電圧（ＶＯＮ）と上記第３ゲートオフ電圧（ＶＳＳ３）に対応する上記第３ゲート信号（ＧＰ３）を用いて駆動される。
【００８３】
続いて、上記駆動電圧発生部２２０は上記タイミングコントローラ２３０の制御によって、上記第３時点（ｔ３）から第４時点（ｔ４）までに設定された第４設定区間（ＰＰ４）の間、上記ゲート駆動回路２６０に上記ゲートオン電圧（ＶＯＮ）及び第４ゲートオフ電圧（ＶＳＳ４）を出力する。
【００８４】
上記第４ゲートオフ電圧（ＶＳＳ４）は、駆動時間が増加するほど薄膜トランジスタの特性がネガティブ方向にシフトする特徴を考慮して、上記第３ゲートオフ電圧（ＶＳＳ３）よりネガティブ方向にシフトされたレベルに設定される。例えば、上記第４ゲートオフ電圧（ＶＳＳ４）は約−７．０Ｖに設定される。
【００８５】
上記第４設定区間（ＰＰ４）の間、上記ゲート駆動回路２６０は上記ゲートオン電圧（ＶＯＮ）と上記第４ゲートオフ電圧（ＶＳＳ４）を用いて第４ゲート信号（ＧＰ４）を生成する。上記第４ゲート信号（ＧＰ４）は、上記フレーム区間のうち、データ充電区間（ＣＰ）では上記ゲートオン電圧（ＶＯＮ）に対応するハイレベルを有し、上記フレームのデータ維持区間（ＨＰ）には上記第４ゲートオフ電圧（ＶＳＳ４）に対応する第４ローレベルを有する。即ち、上記第４設定区間（ＰＰ４）の間、上記表示パネルは上記ゲートオン電圧（ＶＯＮ）と上記第４ゲートオフ電圧（ＶＳＳ４）に対応する上記第４ゲート信号（ＧＰ４）を用いて駆動される。
【００８６】
続いて、上記駆動電圧発生部２２０は、上記タイミングコントローラ２３０の制御によって、上記第４時点（ｔ４）以後の残りの区間である第５設定区間（ＰＰ５）の間、上記ゲート駆動回路２６０に上記ゲートオン電圧（ＶＯＮ）及び第５ゲートオフ電圧（ＶＳＳ５）を出力する。
【００８７】
上記第５ゲートオフ電圧（ＶＳＳ５）は、駆動時間が増加するほど、薄膜トランジスタの特性がネガティブ方向にシフトする特徴を考慮して、上記第４ゲートオフ電圧（ＶＳＳ４）よりネガティブ方向にシフトされたレベルに設定される。例えば、上記第５ゲートオフ電圧（ＶＳＳ４）は約−７．５Ｖに設定される。
【００８８】
上記第５設定区間（ＰＰ５）の間、上記ゲート駆動回路２６０は上記ゲートオン電圧（ＶＯＮ）と上記第５ゲートオフ電圧（ＶＳＳ５）を用いて第５ゲート信号（ＧＰ５）を生成する。上記第５ゲート信号（ＧＰ５）は、上記フレーム区間のうち、データ充電区間（ＣＰ）では上記ゲートオン電圧（ＶＯＮ）に対応するハイレベルを有し、上記フレームのデータ維持区間（ＨＰ）では上記第５ゲートオフ電圧（ＶＳＳ５）に対応する第５ローレベルを有する。
【００８９】
図示したように、上記ＶＳＳ信頼性曲線に基づいて上記第４時点（ｔ４）以後は、上記表示パネルは上記ゲートオン電圧（ＶＯＮ）と上記第５ゲートオフ電圧（ＶＳＳ５）に対応する上記第５ゲート信号（ＧＰ５）を用いて駆動される。
【００９０】
図示してはいないが、キックバック電圧を補償するために上記ゲートオフ電圧のレベル調節と連動して液晶キャパシタＣＬＣの共通電圧（ＶＣＯＭ）及びストレージキャパシタＣＳＴのストレージ共通電圧（ＶＣＴ）を調節することができる。
【００９１】
本実施形態によれば、駆動初期にはゲートオフ電圧をポジティブ方向（例えば、０Ｖに近く）に設定して垂直クロストークによる不良を防止し、設定された初期駆動区間内において駆動時間が増加するほど、上記ゲートオフ電圧のレベルをネガティブ方向に移動させることによって上記色落ちによる不良を防止できる。
【００９２】
図８は、温度変化に伴う薄膜トランジスタの特性変化を説明するための曲線である。図９は、温度及びゲートオフ電圧のレベルに従う色落ちを説明するための曲線である。
【００９３】
図８を参照すると、周辺温度変化に従う薄膜トランジスタの特性曲線変化を見ると、上記周辺温度が高まるほど、上記薄膜トランジスタの特性曲線がネガティブ方向に移動することが確認できる。従って、上記周辺温度上昇に合せてゲートオフ電圧をネガティブ方向に移動するならば、色落ちマージンを追加的に確保できる。
【００９４】
図９を参照すると、周辺温度６０度においてゲートオフ電圧を−５．５Ｖとして表示パネルを駆動する第１比較例における駆動時間別の色落ちが発生するゲートオフ電圧を示す第１のＶＳＳ曲線（ＣＶ１）を参照すると、上記ゲートオフ電圧（ＶＳＳ）のレベルは、駆動時間が増加するほど、ネガティブ方向に移動してから略−６．５Ｖレベルで一定に維持される。
【００９５】
上記第１比較例における上記色落ちに対する信頼性の評価のための第１失敗基準電圧（ＦＲ１）は１Ｖマージンを含んで−４．５Ｖに設定され、ゲートオフ電圧（ＶＳＳ）が上記第１失敗基準電圧（ＦＲ１）以下に落ちれば色落ち不良として評価される。上記第１のＶＳＳ曲線（ＣＶ１）を見ると、設定された初期駆動区間内、時点ｔａからゲートオフ電圧（ＶＳＳ）が上記第１失敗基準電圧（ＦＲ１）以下に落ちる。これによって、第１比較例における表示装置は上記時点ｔａ以後に色落ち不良を生じる。
【００９６】
一方、周辺温度６０度においてゲートオフ電圧を−７．５Ｖとして表示パネルを駆動する第２比較例における駆動時間別の色落ちが発生するゲートオフ電圧を示した第２のＶＳＳ曲線（ＣＶ２）を参照すると、上記ゲートオフ電圧（ＶＳＳ）のレベルは、駆動時間が増加するほど、ネガティブ方向に移動してから略−６．０Ｖで一定に維持される。
【００９７】
上記第２比較例に従う上記色落ちに対する信頼性の評価のための第２失敗基準電圧（ＦＲ２）は１Ｖマージンを含んで−６．５Ｖに設定され、これによって、ゲートオフ電圧（ＶＳＳ）が上記第２失敗基準電圧（ＦＲ２）以下に落ちれば色落ち不良として評価される。上記第２比較例における上記第２のＶＳＳ曲線（ＣＶ２）を見ると、ゲートオフ電圧（ＶＳＳ）は設定された初期駆動区間内では上記第２失敗基準電圧（ＦＲ２）以下に落ちない。従って、色落ち不良が発生しないものとして評価される。
【００９８】
このように、周辺温度が常温より高い場合、又は或る閾値温度より高い場合、上記ゲートオフ電圧のレベルをネガティブ方向に移動させるならば、上記色落ちマージンを確保できる。
【００９９】
図１０は、本発明の一実施形態に従う表示装置のブロック図である。図１１は、図１０に示した表示装置の駆動方法を説明するためのグラフである。
【０１００】
以下、以前の実施形態と同一な構成要素は同一な図面符号を与えて、重複する説明は省略する。
【０１０１】
本実施形態に従う表示装置は、駆動時間及び周辺温度変換に合わせてゲートオフ電圧のレベルを調節して垂直クロストーク及び色落ち不良を改善できる。
【０１０２】
例えば、図１０を参照すると、上記表示装置は図５に例示した以前の表示装置と比較して、温度センサー２１１及び温度補償部２１３が、駆動電圧発生部２２０に対して追加されている。
【０１０３】
上記温度センサー２１１は、上記表示装置の温度及び周辺温度をセンシングし、上記センシングされた温度情報（ＴＳ）を上記温度補償部２１３に提供する。
【０１０４】
上記温度補償部２１３は、上記温度情報（ＴＳ）に対応する少なくとも１つの補償電圧レベル（ＴＣＳ）が格納される。上記温度補償部２１３は、上記温度情報（ＴＳ）に対応する上記補償電圧レベル（ＴＣＳ）を上記駆動電圧発生部２２０に提供する。
【０１０５】
例えば、上記温度補償部２１３は複数の温度情報の各々に対応する少なくとも１つの補償電圧レベル（ＴＣＳ）がマッピングされたルックアップテーブルを含む。上記ルックアップテーブルには第１温度情報に対応して少なくとも１つの第１補償電圧レベルが格納され、第２温度情報に対応して少なくとも１つの第２補償電圧レベルが格納される。従って、上記温度補償部２１３は上記温度センサー２１１から上記第１温度情報を受信すれば、上記駆動電圧発生部２２０に上記第１温度情報に対応する少なくとも１つの補償電圧レベルを提供する。
【０１０６】
上記駆動電圧発生部２２０は以前の実施形態と比較して、温度補償のための温度補償電圧をさらに生成する。上記温度補償電圧は上記補償電圧レベルに基づいて生成され、上記温度補償電圧は以前の実施形態のように駆動時間補償のためのゲートオフ電圧のレベルに加算されて上記ゲート駆動回路２６０に提供される。従って、上記ゲート駆動回路２６０には時間及び温度の双方について補償されたゲートオフ電圧が提供される。
【０１０７】
上記タイミングコントローラ２３０は以前の実施形態と比較して、実質的に同一に駆動する。これに重複する説明は省略する。
【０１０８】
図１１を参照すると、ＶＳＳ信頼性曲線は駆動時間の経過に伴なって色落ちが発生するゲートオフ電圧のレベルを示したものであり、ＶＳＳ時間補償曲線は駆動時間の変化に従う色落ちマージンを確保するためのゲートオフ電圧のレベルを示したものであり、ＶＳＳ温度補償曲線は温度の変化に従う色落ちマージンを確保するためのゲートオフ電圧のレベルを示したものである。
【０１０９】
本実施形態によれば、上記ＶＳＳ温度補償曲線のゲートオフ電圧（ＶＳＳ）は上記ＶＳＳ時間補償曲線のゲートオフ電圧のレベルに上記温度に従う温度補償電圧のレベルが加算されて生成される。
【０１１０】
例えば、上記表示装置が電源オンされれば、上記温度センサー２１１は設定されたセンシング区間、例えば第１設定区間（ＰＰ１）の開始時点（ｔ０）になれば、上記表示装置の第１温度をセンシングし、センシングされた第１温度情報を上記温度補償部２１３に提供する。上記温度補償部２１３は、上記第１温度情報に対応する第１補償電圧レベルを上記駆動電圧発生部２２０に提供し、上記駆動電圧発生部２２０は上記第１補償電圧レベルに基づいて第１温度補償電圧（Ｖｔｃ１）を生成する。
【０１１１】
第１設定区間（ＰＰ１）の間、上記駆動電圧発生部２２０は、ゲートオン電圧（ＶＯＮ）及び第１ゲートオフ電圧（ＶＳＳ１）を出力する。上記第１ゲートオフ電圧（ＶＳＳ１）は、上記ＶＳＳ時間補償曲線に対応する第１オフ電圧（ＶＳ１）に上記第１温度補償電圧（Ｖｔｃ１）が加算されたレベルを有する。
【０１１２】
上記第１オフ電圧（ＶＳ１）は、垂直クロストークに有利になるようにポジティブ方向、即ち相対的に０Ｖに近く設定する。例えば、上記第１オフ電圧（ＶＳ１）は一般ゲートオフレベルである約−５．５Ｖに設定できる。これは上記第１温度が常温に対応する場合であり、これによって、上記第１温度補償電圧（Ｖｔｃ１）は０．０Ｖである。従って、上記第１ゲートオフ電圧（ＶＳＳ１）は約−５．５Ｖに設定できる。
【０１１３】
図７に示すように、上記第１設定区間（ＰＰ１）の間、上記ゲート駆動回路２６０は上記ゲートオン電圧（ＶＯＮ）と上記第１ゲートオフ電圧（ＶＳＳ１）を用いて第１ゲート信号（ＧＰ１）を生成する。上記第１ゲート信号（ＧＰ１）は、フレーム区間のうち、データを液晶キャパシタに充電するデータ充電区間（ＣＰ）では上記ゲートオン電圧（ＶＯＮ）に対応するハイレベルを有し、上記液晶キャパシタに充電されたデータを維持するフレームのデータ維持区間（ＨＰ）には上記第１ゲートオフ電圧（ＶＳＳ１）に対応する第１ローレベルを有する。上記第１設定区間（ＰＰ１）の間、上記表示パネルは上記ゲートオン電圧（ＶＯＮ）及び第１ゲートオフ電圧（ＶＳＳ１）を有する第１ゲート信号（ＧＰ１）により駆動される。
【０１１４】
続いて、上記第１時点（ｔ１）から第２時点（ｔ２）までに設定された第２設定区間（ＰＰ２）の開始時点である第１時点（ｔ１）になれば、上記温度センサー２１１は上記表示装置の第２温度をセンシングし、センシングされた第２温度情報を上記温度補償部２１３に提供する。上記温度補償部２１３は、上記第２温度情報に対応する第２補償電圧レベルを上記駆動電圧発生部２２０に提供し、上記駆動電圧発生部２２０は上記第２補償電圧レベルに基づいて第２温度補償電圧（Ｖｔｃ２）を生成する。
【０１１５】
第２設定区間（ＰＰ２）の間、上記駆動電圧発生部２２０は、ゲートオン電圧（ＶＯＮ）及び第２ゲートオフ電圧（ＶＳＳ２）を出力する。上記第２ゲートオフ電圧（ＶＳＳ２）は、上記ＶＳＳ時間補償曲線に対応する第２オフ電圧（ＶＳ２）に上記第２温度補償電圧（Ｖｔｃ２）が加算されたレベルを有する。
【０１１６】
上記第２オフ電圧（ＶＳ２）は、駆動時間が増加するほど、薄膜トランジスタの特性がネガティブ方向にシフトする特徴を考慮して、上記第１オフ電圧（ＶＳ１）よりネガティブ方向にシフトされたレベルに設定される。例えば、上記第２オフ電圧（ＶＳ２）は約−６．０Ｖに設定される。上記第２温度は、上記第１温度より高い場合であり、これによって、上記第２温度補償電圧（Ｖｔｃ２）は温度が増加するほど、薄膜トランジスタの特性がネガティブ方向にシフトする特徴を考慮して、上記第１温度補償電圧（Ｖｔｃ１）よりネガティブ方向にシフトされたレベルに設定される。例えば、第２温度補償電圧（Ｖｔｃ２）は−０．５Ｖでありうる。従って、上記第２ゲートオフ電圧（ＶＳＳ２）は約−６．５Ｖに設定される。
【０１１７】
図７に示すように、上記第２設定区間（ＰＰ２）の間、上記ゲート駆動回路２６０は上記ゲートオン電圧（ＶＯＮ）と上記第２ゲートオフ電圧（ＶＳＳ２）を用いて第２ゲート信号（ＧＰ２）を生成する。上記第２ゲート信号（ＧＰ２）は、フレーム区間のうち、データ充電区間（ＣＰ）では上記ゲートオン電圧（ＶＯＮ）に対応するハイレベルを有し、上記フレームのデータ維持区間（ＨＰ）には上記第２ゲートオフ電圧（ＶＳＳ２）に対応する第２ローレベルを有する。
【０１１８】
続いて、上記第２時点（ｔ２）から第３時点（ｔ３）までに設定された第３設定区間（ＰＰ３）の開始時点である第２時点（ｔ２）になれば、上記温度センサー２１１は上記表示装置の第３温度をセンシングし、センシングされた第３温度情報を上記温度補償部２１３に提供する。上記温度補償部２１３は、上記第３温度情報に対応する第３補償電圧レベルを上記駆動電圧発生部２２０に提供し、上記駆動電圧発生部２２０は上記第３補償電圧レベルに基づいて第３温度補償電圧（Ｖｔｃ３）を生成する。
【０１１９】
上記第３設定区間（ＰＰ３）の間、上記駆動電圧発生部２２０はゲートオン電圧（ＶＯＮ）及び第３ゲートオフ電圧（ＶＳＳ３）を出力する。上記第３ゲートオフ電圧（ＶＳＳ３）は、上記ＶＳＳ時間補償曲線に対応する第３オフ電圧（ＶＳ３）に上記第３温度補償電圧（Ｖｔｃ３）が加算されたレベルを有する。
【０１２０】
上記第３オフ電圧（ＶＳ３）は、駆動時間が増加するほど、薄膜トランジスタの特性がネガティブ方向にシフトする特徴を考慮して、上記第２オフ電圧（ＶＳ２）よりネガティブ方向にシフトされたレベルに設定される。例えば、上記第３オフ電圧（ＶＳ３）は約−６．５Ｖに設定される。上記第３温度は上記第２温度より高い場合であり、これによって、上記第３温度補償電圧（Ｖｔｃ３）は温度が増加するほど、薄膜トランジスタの特性がネガティブ方向にシフトする特徴を考慮して、上記第２温度補償電圧（Ｖｔｃ２）よりネガティブ方向にシフトされたレベルに設定される。例えば、第３温度補償電圧（Ｖｔｃ３）は−１．０Ｖでありうる。従って、上記第３ゲートオフ電圧（ＶＳＳ３）は約−７．５Ｖに設定される。
【０１２１】
図７に示すように、上記第３設定区間（ＰＰ３）の間、上記ゲート駆動回路２６０は上記ゲートオン電圧（ＶＯＮ）と上記第３ゲートオフ電圧（ＶＳＳ３）を用いて第３ゲート信号（ＧＰ３）を生成する。上記第３ゲート信号（ＧＰ３）は、上記フレーム区間のうち、データ充電区間（ＣＰ）では上記ゲートオン電圧（ＶＯＮ）に対応するハイレベルを有し、上記フレームのデータ維持区間（ＨＰ）には上記第３ゲートオフ電圧（ＶＳＳ３）に対応する第３ローレベルを有する。
【０１２２】
続いて、上記第３時点（ｔ３）から第４時点（ｔ４）までに設定された第４設定区間（ＰＰ４）の開始時点である第３時点（ｔ３）になれば、上記温度センサー２１１は上記表示装置の第４温度をセンシングし、センシングされた第４温度情報を上記温度補償部２１３に提供する。上記温度補償部２１３は、上記第４温度情報に対応する第４補償電圧レベルを上記駆動電圧発生部２２０に提供し、上記駆動電圧発生部２２０は上記第４補償電圧レベルに基づいて第４温度補償電圧（Ｖｔｃ４）を生成する。
【０１２３】
上記第４設定区間（ＰＰ４）の間、上記駆動電圧発生部２２０はゲートオン電圧（ＶＯＮ）及び第４ゲートオフ電圧（ＶＳＳ４）を出力する。上記第４ゲートオフ電圧（ＶＳＳ４）は、上記ＶＳＳ時間補償曲線に対応する第４オフ電圧（ＶＳ４）に上記第４温度補償電圧（Ｖｔｃ４）が加算されたレベルを有する。
【０１２４】
上記第４オフ電圧（ＶＳ４）は、駆動時間が増加するほど、薄膜トランジスタの特性がネガティブ方向にシフトする特徴を考慮して、上記第３オフ電圧（ＶＳ３）よりネガティブ方向にシフトされたレベルに設定される。例えば、上記第４オフ電圧（ＶＳ４）は約−７．０Ｖに設定される。上記第４温度は上記第３温度より高い場合であり、これによって、上記第４温度補償電圧（Ｖｔｃ４）は温度が増加するほど薄膜トランジスタの特性がネガティブ方向にシフトする特徴を考慮して、上記第３温度補償電圧（Ｖｔｃ３）よりネガティブ方向にシフトされたレベルに設定される。例えば、第４温度補償電圧（Ｖｔｃ４）は−１．５Ｖでありうる。従って、上記第４ゲートオフ電圧（ＶＳＳ４）は約−８．５Ｖに設定される。
【０１２５】
図７に示すように、上記第４設定区間（ＰＰ４）の間、上記ゲート駆動回路２６０は上記ゲートオン電圧（ＶＯＮ）と上記第４ゲートオフ電圧（ＶＳＳ４）を用いて第４ゲート信号（ＧＰ４）を生成する。上記第４ゲート信号（ＧＰ４）は、上記フレーム区間のうち、データ充電区間（ＣＰ）では上記ゲートオン電圧（ＶＯＮ）に対応するハイレベルを有し、上記フレームのデータ維持区間（ＨＰ）には上記第４ゲートオフ電圧（ＶＳＳ４）に対応する第４ローレベルを有する。
【０１２６】
続いて、上記第４時点（ｔ４）以後の残りの区間である第５設定区間（ＰＰ５）の開始時点である第４時点（ｔ４）になれば、上記温度センサー２１１は上記表示装置の第５温度をセンシングし、センシングされた第５温度情報を上記温度補償部２１３に提供する。上記温度補償部２１３は、上記第５温度情報に対応する第５補償電圧レベルを上記駆動電圧発生部２２０に提供し、上記駆動電圧発生部２２０は上記第５補償電圧レベルに基づいて第５温度補償電圧（Ｖｔｃ５）を生成する。
【０１２７】
上記第５設定区間（ＰＰ５）の間、上記駆動電圧発生部２２０はゲートオン電圧（ＶＯＮ）及び第５ゲートオフ電圧（ＶＳＳ５）を出力する。上記第５ゲートオフ電圧（ＶＳＳ５）は、上記ＶＳＳ時間補償曲線に対応する第５オフ電圧（ＶＳ５）に上記第５温度補償電圧（Ｖｔｃ５）が加算されたレベルを有する。
【０１２８】
上記第５オフ電圧（ＶＳ５）は、駆動時間が増加するほど、薄膜トランジスタの特性がネガティブ方向にシフトする特徴を考慮して、上記第４オフ電圧（ＶＳ４）よりネガティブ方向にシフトされたレベルに設定される。例えば、上記第５オフ電圧（ＶＳ５）は約−７．５Ｖに設定される。上記第５温度は上記第４温度より高い場合であり、これによって、上記第５温度補償電圧（Ｖｔｃ５）は、温度が増加するほど、薄膜トランジスタの特性がネガティブ方向にシフトする特徴を考慮して、上記第４温度補償電圧（Ｖｔｃ４）よりネガティブ方向にシフトされたレベルに設定される。例えば、第５温度補償電圧（Ｖｔｃ５）は−２．０Ｖでありうる。従って、上記第５ゲートオフ電圧（ＶＳＳ５）は約−９．５Ｖに設定される。
【０１２９】
図７に示すように、上記第５設定区間（ＰＰ５）の間、上記ゲート駆動回路２６０は上記ゲートオン電圧（ＶＯＮ）と上記第５ゲートオフ電圧（ＶＳＳ５）を用いて第５ゲート信号（ＧＰ５）を生成する。上記第５ゲート信号（ＧＰ５）は、上記フレーム区間のうち、データ充電区間（ＣＰ）では上記ゲートオン電圧（ＶＯＮ）に対応するハイレベルを有し、上記フレームのデータ維持区間（ＨＰ）には上記第５ゲートオフ電圧（ＶＳＳ５）に対応する第５ローレベルを有する。
【０１３０】
本実施形態によれば、駆動初期にはゲートオフ電圧をポジティブ方向（例えば、０Ｖに近く）に設定して垂直クロストークによる不良を防止し、設定された初期駆動区間に対して駆動時間及び周辺温度が増加するほど、上記ゲートオフ電圧のレベルをネガティブ方向に移動させることによって、上記色落ちによる不良を防止できる。
【０１３１】
以上、実施形態を参照して説明したが、該当技術分野の熟練した当業者は、以下の特許請求範囲に記載された本発明の思想及び領域から逸脱しない範囲内で本発明を多様に修正及び変更できることを理解できよう。
【符号の説明】
【０１３２】
１００      表示パネル
２１１      温度センサー
２１３      温度補償部
２２０      駆動電圧発生部
２３０      タイミングコントローラ
２５０      データ駆動回路
２６０      ゲート駆動回路、第１、第２ゲート駆動回路
３００      回路フィルム３００
３１０      コントロール回路基板
３３０      ソース回路基板
ＡＶＤＤ      アナログ電源電圧
ＣＬＣ      液晶キャパシタ
ＣＰ      データ充電区間
ＣＳＴ    ストレージキャパシタ
ＤＡ      表示領域
ＤＡＴＡ      データ信号
ＤＣＦ      データ回路フィルム
ＤＣＳ      データ制御信号
ＤＤＶ      データ駆動電圧
ＤＶＤＤ      ディジタル電源電圧
ＤＬ（ＤＬ１，ＤＬ２，…，ＤＬｍ）      データライン
ＤＲ１      第１方向
ＤＲ２      第２方向
ＦＲ１、ＦＲ２      第１、第２失敗基準電圧
ＧＣＳ      ゲート制御信号
ＧＤＶ      ゲート駆動電圧
ＧＬ（ＧＬ１，…，ＧＬｎ）      ゲートライン
ＧＰ１、ＧＰ２、…、ＧＰ５      第１、第２、…第５ゲート信号
ＨＰ      データ維持区間
ＩＬ１      第１漏洩電流レベル
ＩＬ２      第２漏洩電流レベル
ＯＤＡＴＡ      原始データ信号
ＯＳＳ      原始同期信号
Ｐ      画素
ＰＡ      周辺領域
ＰＰ１、ＰＰ２、…、ＰＰ５      第１、第２、…第５設定区間
ＰＤＶ      パネル電圧
ＲＡ１      第１電圧範囲
ＲＡ２      第２電圧範囲
ＴＣＳ      補償電圧レベル
ＴＲ      薄膜トランジスタ
ＴＳ      温度情報
ｔ０      電源オン時点
ｔ１、…、ｔ４      第１…第４時点
ＶＣＯＭ      共通電圧
ＶＣＳ      電圧制御信号
ＶＯＦＦ      ゲートオフ電圧
ＶＯＮ      ゲートオン電圧
Ｖｔｃ１，Ｖｔｃ２，…、Ｖｔｃ５      第１、第２、…、第５ゲート温度補償電圧
ＶＳ１、ＶＳ２、…、ＶＳ５      第１…第５オフ電圧
ＶＳＳ１，ＶＳＳ２、…、ＶＳＳ５      第１、第２、…第５ゲートオフ電圧
ＶＳＴ      ストレージ共通電圧
【図１】
2016091026.tif 000003
【図２】
2016091026.tif 000004
【図３】
2016091026.tif 000005
【図４】
2016091026.tif 000006
【図５】
2016091026.tif 000007
【図６】
2016091026.tif 000008
【図７】
2016091026.tif 000009
【図８】
2016091026.tif 000010
【図９】
2016091026.tif 000011
【図１０】
2016091026.tif 000012
【図１１】
2016091026.tif 000013